(57)【要約】【課題】裏面に誘導された遊技球の転動を十分に楽しむことができ、さらには奥行き方向のスペースを有効活用する。【解決手段】透明合成樹脂で形成された遊技盤１を備えた遊技機１００において、遊技盤の前面側に、発射された遊技球が転動流下可能な第１遊技領域１ａを形成するとともに、遊技盤の裏面側に、遊技球が転動流下可能な裏面遊技領域３００を形成し、第１遊技領域に、当該遊技領域へ発射された無駄球を裏面遊技領域に流入させるために開設された導入口３０１と、裏面遊技領域を流下転動した遊技球を当該前面遊技領域へ導出させるための導出口１３とを設け、導入口から流入した遊技球が裏面遊技領域を介して、導出口から導出するように構成されている。【選択図】図５
2008220398.tif 000002
【特許請求の範囲】
【請求項１】
透明合成樹脂で形成された遊技盤を備えた遊技機において、
前記遊技盤の前面側に、発射された遊技球が転動流下可能な前面遊技領域を形成するとともに、前記遊技盤の裏面側に、遊技球が転動流下可能な裏面遊技領域を形成し、
前記前面遊技領域に、
当該遊技領域へ発射された無駄球を前記裏面遊技領域に流入させるために開設された導入口と、
前記裏面遊技領域を流下転動した遊技球を当該前面遊技領域へ導出させるための導出口と、を設け、
前記導入口から流入した遊技球が前記裏面遊技領域を介して、前記導出口から導出するように構成されていることを特徴とする遊技機。
【請求項２】
前記裏面遊技領域は、前後方向に二重構造とされていることを特徴とする請求項１に記載の遊技機。
【請求項３】
前記裏面遊技領域のうち、一方の遊技領域に比べて他方の遊技領域から前記導出口を介して導出される遊技球の方が始動口への入賞確率が高くされていることを特徴とする請求項２に記載の遊技機。
【請求項４】
前記裏面遊技領域には、遊技球が転動変化可能な転動方向変換部材が設けられていることを特徴とする請求項２又は３に記載の遊技機。
【請求項５】
前記前面遊技領域と前記裏面遊技領域とに連通する可動部材が設けられ、
前記可動部材に前記前面遊技領域を流下する遊技球が接触すると、前記裏面遊技領域のうちのより不利な方の遊技領域を流下する遊技球をより有利な方の遊技領域に誘導するように当該可動部材の裏面側に臨む一片が可動することを特徴とする請求項２〜４の何れか一項に記載の遊技機。
【発明の詳細な説明】
【技術分野】
【０００１】
本発明は、遊技の進行を制御する遊技制御装置を備える遊技機に関する。
【背景技術】
【０００２】
従来、透明樹脂製の遊技盤を用い、後方に表示装置を配置した遊技機においては、通常遊技領域が形成される前面側の遊技領域に加え、ワープユニットを介してその裏面側に遊技球を案内するものがある（例えば、特許文献１参照）。
この場合、裏面側に案内された遊技球はステージ部となる裏側転動部上を遊技球が左右方向に転動し、ステージ部に形成された排出部から遊技球を排出するようになっている。また、このような構造を有する遊技機では、裏側転動部を二段構成としたり下り傾斜をつけたりして、直下に配設される始動口等の入賞口に案内しやすい箇所を設けるようにしている。
【特許文献１】特開２００５−２７０４６９号公報
【発明の開示】
【発明が解決しようとする課題】
【０００３】
しかしながら、上記特許文献１における遊技機では、裏面側に遊技領域を形成するにあたり、その左右方向に転動部を多段構成するスペースしか確保できず、下り傾斜をつけるなどして遊技球を転動させるようにしても奥行き方向の転動は不可能であり、その転動経路は単調なものとなっていた。
また、左右方向の転動を複雑化させるため、横方向に多段構成とすると、限られた遊技盤裏面の横方向のスペースにより、かえって構造がごちゃごちゃしてしまう。
【０００４】
そこで、本発明は、上記のような問題点を解決するためになされたもので、裏面に誘導された遊技球の転動を十分に楽しむことができ、さらには奥行き方向のスペースを有効活用することが可能な遊技機を提供することを目的とする。
【課題を解決するための手段】
【０００５】
以上の課題を解決するため、請求項１に記載の発明は、
透明合成樹脂で形成された遊技盤を備えた遊技機において、
前記遊技盤の前面側に、発射された遊技球が転動流下可能な前面遊技領域を形成するとともに、前記遊技盤の裏面側に、遊技球が転動流下可能な裏面遊技領域を形成し、
前記前面遊技領域に、
当該遊技領域へ発射された無駄球を前記裏面遊技領域に流入させるために開設された導入口と、
前記裏面遊技領域を流下転動した遊技球を当該前面遊技領域へ導出させるための導出口と、を設け、
前記導入口から流入した遊技球が前記裏面遊技領域を介して、前記導出口から導出するように構成されていることを特徴としている。
【０００６】
ここで、無駄球とは、遊技領域のうち、入賞口が設けられた領域と異なる領域を転動流下して、入賞の可能性が低く無駄となる可能性の高い遊技球のことである。
【０００７】
請求項１に記載の発明によれば、前面遊技領域へ発射された無駄球を導入口から裏面遊技領域に流入して、導出口から前面遊技領域へ導出させることができるので、無駄となる可能性の高い右打ちされた無駄球を裏面遊技領域で転動させて再度遊技に供することができる。従って、遊技者は、裏面遊技領域での遊技球の転動を十分に楽しむことができ、遊技の興趣を向上させることができる。
また、遊技盤の裏面側に遊技球が転動流下可能な裏面遊技領域を形成することにより、遊技機の裏面側の奥行き方向のスペースを有効活用することができる。
【０００８】
請求項２に記載の発明は、請求項１に記載の遊技機において、
前記裏面遊技領域は、前後方向に二重構造とされていることを特徴としている。
【０００９】
請求項２に記載の発明によれば、裏面遊技領域を二重構造とすることにより、遊技機の裏面側の奥行き方向のスペースをさらに有効活用することができる。
さらに、二重構造の裏面遊技領域での遊技球の転動を楽しむという遊技機本来の興趣を向上させることができる。
【００１０】
請求項３に記載の発明は、請求項２に記載の遊技機において、
前記裏面遊技領域のうち、一方の遊技領域に比べて他方の遊技領域から前記導出口を介して導出される遊技球の方が始動口への入賞確率が高くされていることを特徴としている。
【００１１】
請求項３に記載の発明によれば、一方の遊技領域に比べて他方の遊技領域から導出口を介して導出される遊技球の方が始動口への入賞確率が高くされているので、無駄球を再度遊技に供するうえ、何れか一の遊技領域へ導入されれば始動口への入賞確率が高くなるので、さらに遊技の興趣を向上させることができる。
【００１２】
請求項４に記載の発明は、請求項２又は３に記載の遊技機において、
前記裏面遊技領域には、遊技球が転動変化可能な転動方向変換部材が設けられていることを特徴としている。
【００１３】
請求項４に記載の発明によれば、二重構造の裏面遊技領域のうち、より不利な方の遊技領域に一度導入されても、転動方向変換部材により有利な方の遊技領域に転動変化されることがあり、遊技者の興味をより長く惹き付けることができる。
【００１４】
請求項５に記載の発明は、請求項２〜４の何れか一項に記載の遊技機において、
前記前面遊技領域と前記裏面遊技領域とに連通する可動部材が設けられ、
前記可動部材に前記前面遊技領域を流下する遊技球が接触すると、前記裏面遊技領域のうちのより不利な方の遊技領域を流下する遊技球をより有利な方の遊技領域に誘導するように当該可動部材の裏面側に臨む一片が可動することを特徴としている。
【００１５】
請求項５に記載の発明によれば、可動部材に前面遊技領域を流下する遊技球が接触すると、当該可動部材の裏面側に臨む一片が可動して、裏面遊技領域のうちのより不利な方の遊技領域を流下する遊技球をより有利な方の遊技領域に誘導することができる。即ち、前面遊技領域を流下する遊技球が、裏面遊技領域での遊技球の転動流下に影響を及ぼすため、前面遊技領域及び裏面遊技領域を流下する遊技球を関連させることができることとなって、さらに変化に富んだ遊技球の転動を楽しむことができる。
【発明の効果】
【００１６】
本発明によれば、前面遊技領域へ発射された無駄球を導入口から裏面遊技領域に流入して、導出口から前面遊技領域へ導出させることができるので、無駄となる可能性の高い右打ちされた無駄球を裏面遊技領域で転動させて再度遊技に供することができる。従って、遊技者は、裏面遊技領域での遊技球の転動を十分に楽しむことができ、遊技の興趣を向上させることができる。
また、遊技盤の裏面側に遊技球が転動流下可能な裏面遊技領域を形成することにより、遊技機の裏面側の奥行き方向のスペースを有効活用することができる。
【発明を実施するための最良の形態】
【００１７】
以下、この発明の実施形態について図面を参照して説明する。
ここでは、本発明にかかる遊技機の適例としてのパチンコ遊技機について図１〜図９を用いて説明を行う。
【００１８】
本実施形態の遊技機１００は、図１〜図６に示すように、矩形枠状に構成された機枠１１０を備え、機枠１１０の前面側に、該機枠１１０に対して前方向へ扉状に回動可能に矩形枠状の前面枠１２０が軸着されている。
なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように大型の表示ユニット１７０を備える裏機構枠１６０の配設を可能としている。
【００１９】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７０を備える裏機構枠１６０とを有する。
【００２０】
前面枠本体１３０は、矩形枠状の機枠１１０の前面側をちょうど覆うように概略矩形板状に構成されるとともに、その中央から上端部に渡る部分に後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。即ち、遊技盤１は、前面枠本体１３０に嵌め込まれることで前面枠１２０に取り付けられている。
【００２１】
また、前面枠本体１３０の開口部１３１、即ち、前面枠本体１３０の中央より少し下側から上端部にわたる部分には、図１に示すように、前面枠本体１３０の前側を覆うようにクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁９に囲まれた部分が、遊技球が発射されて流下する第１遊技領域１ａとされている（図４参照）。
【００２２】
クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の第１遊技領域１ａの前側を開放可能となっている。
また、クリア部材保持枠１４０には、前面枠本体１３０の開口部１３１をほぼ閉塞するように、該開口部１３１に嵌め込まれた遊技盤１との間に遊技球が流下可能な第１遊技領域１ａとなる間隔を開けて二重のガラス板１４１が固定されている。そして、クリア部材保持枠１４０において、遊技機１００の前側からガラス板１４１を介して遊技盤１の前面側の少なくとも第１遊技領域１ａの部分が視認可能となっている。また、クリア部材保持枠１４０の前面であって、ガラス板１４１が固定されて第１遊技領域１ａを視認可能とする部分の周囲には、枠装飾装置としてのランプやＬＥＤ、音声を出力するスピーカ５８、…などが設けられている。
【００２３】
また、前面枠本体１３０に軸着されたクリア部材保持枠１４０の開放端側となる前面側から見て右側の端部の前面には、施錠装置の一部をなす鍵穴１４３が形成されている。
鍵穴１４３は、前面枠本体１３０の施錠装置の一部を構成するとともに、クリア部材保持枠１４０の施錠装置の一部を構成しており、当該鍵穴１４３に鍵を入れて一方（例えば、左回り）に回すと前面枠本体１３０の施錠が解除され、他方（例えば、右回り）に回すとクリア部材保持枠１４０の施錠が解除されるようになっている。
【００２４】
発射操作ユニット１５０は、左右側部のうちの一側部となる左側部が前面枠本体１３０に軸着されて、左右方向に回動して開閉自在な開閉パネル１５１と、その下の下部パネル１５２とからなる。
開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン（図示略）が設けられている。
下部パネル１５２には、上皿１５３に収容しきれない遊技球を収容する下皿１５４及び灰皿１５５と、第１遊技領域１ａに向けての遊技球の発射操作を行うとともに、該第１遊技領域１ａに遊技球を発射する際の発射勢を調節するための操作ハンドル１５６や、スピーカ５８などが設けられている。
【００２５】
また、図３に示すように、前面枠本体１３０の裏面側であって、遊技盤１が嵌め込まれた開口部１３１の上端部から中央より少し下側にわたる部分には、前面枠本体１３０の裏面側を覆うように裏機構枠１６０が配置されている。
裏機構枠１６０の前面の左端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。
なお、裏機構枠１６０と前面枠本体１３０の連結部分は着脱自在であって、前面枠本体１３０、裏機構枠１６０はそれぞれユニット単位で交換やメンテナンスが可能となっている。
【００２６】
また、図２に示すように、前面枠本体１３０の裏面側であって遊技盤１が嵌め込まれた開口部１３１の下方には、排出ユニット１９０による賞球の排出、発射装置による遊技球の発射を制御する排出発射制御装置３４、遊技機１００内の各装置に電力を供給する電源回路としての電源供給装置３７が取り付けられている。
【００２７】
なお、図示は省略するが、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２８】
裏機構枠１６０は、図２〜図５に示すように、裏機構枠本体１６１と、画像を表示する画像表示装置としての表示ユニット１７０を案内するためのガイド部１６２とを有し、表示ユニット１７０の他、表示ユニット１７０を制御する第１演出制御装置３３と、賞球などを排出する排出装置１９０と、排出装置１９０に遊技球を供給する貯留タンク１９２等が設けられている。
【００２９】
また、裏機構枠１６０は、前面枠本体１３０の遊技盤１が嵌め込まれる開口部１３１を裏面側から覆って遊技盤１の裏面に臨む状態と、後方に扉状に回動して遊技盤１の裏面側を開放する状態との間で回動可能となっている。即ち、裏機構枠１６０に表示ユニット１７０が配設されることで、表示ユニット１７０は、該裏機構枠１６０を介して前面枠１２０側に配設された状態で遊技盤１の後方位置に配設されることとなる。そして、裏機構枠本体１６１において遊技盤１と平行に配され、遊技盤１の裏面側を覆うように配される部分が後面部１６１ａとなる。
【００３０】
裏機構枠本体１６１は、所定の厚みを有し、当該裏機構枠本体１６１の前後面に種々の機構体が取り付けられている。
即ち、裏機構枠本体１６１の前面には、表示ユニット１７０を前側に付勢する表示ユニット付勢手段をなす付勢部材としての圧縮コイルばね（図示略）を収納する後側が閉鎖された筒状の付勢部材収納部１８１，１８１（裏面側のみを図示）や、裏機構枠本体１６１を補強するための補強リブが形成されている。また、裏機構枠本体１６１の後面部１６１ａの背面には、第１演出制御装置配設部１６５や接続用凹部１８３、流路形成凹部１８４、排出装置配設凹部１８５などの前方に窪んで後方に開口した凹部が形成されており、裏機構枠本体１６１の前面の一部はこれら凹部の裏面によって形成されている。また、裏機構枠本体１６１の前面の周囲には、上下の一部を除いて前側に延出する周囲壁１８７が形成されており、裏機構枠本体１６１の前面側は全体が凹部となっている。
【００３１】
また、裏機構枠本体１６１の前側には、図３に示すように、それぞれコ字状のガイド部１６２，１６２が左右の側面を前側に延長するように取り付けられている。そして、後面部１６１ａ及び周囲壁１８７、ガイド部１６２，１６２によって、所定の奥行きを有するとともに前面側（遊技盤１の裏面に臨む側）に開口した略矩形凹室形状の空間（少なくとも背面と左右側面とを囲まれた空間）が形成され、当該空間が表示ユニット１７０を収納する表示ユニット収納部１６８となっている。
即ち、ガイド部１６２，１６２は、裏機構枠本体１６１における後面部１６１ａの左右端部の各々に設けられ、周囲壁１８７とともに表示ユニット収納部１６８の側面部をなしている。
【００３２】
表示ユニット収納部１６８には、画像表示面が前側（開口した側）となるように表示ユニット１７０が配設されており、裏機構枠１６０を遊技盤１の裏面に臨むように配することで、遊技盤１の裏面側に表示ユニット１７０の液晶表示パネル１７１の画像表示面が臨むようになっている。
【００３３】
表示ユニット１７０は、略矩形板状に形成された液晶表示パネル１７１と、この液晶表示パネル１７１が収容され、前面側が開口した略矩形箱状（額縁状）に形成された金属製の表示ユニットケース（図示略）とを有する。そして、表示ユニットケースの前面側から液晶表示パネル１７１の画像表示面を有する前面が露出している。
【００３４】
また、裏機構枠１６０の後面部１６１ａの背面（裏面）には、図４に示すように、前方に窪んで後方に開口した略矩形状の凹部である第１演出制御装置配設部１６５が形成され、当該第１演出制御装置配設部１６５に液晶表示パネル１７１の液晶表示器の表示を制御する第１演出制御装置３３が配設されている。
なお、第１演出制御装置３３は、図３に示すように、前面側に演出データ基板と接続用のコネクタ部３３ｍがボックスから露出されている。
【００３５】
裏機構枠本体１６１の上面には、遊技機１００が設置される図示しない島設備に設けられた供給装置から供給される遊技球を一時貯留し、排出装置１９０に供給する貯留タンク１９２が取り付けられるようになっている。
【００３６】
貯留タンク１９２の底面は、裏機構枠本体１６１の後方に向かって下るとともに、裏機構枠本体１６１の裏面側から見て左方向に下る傾斜を有しており、この傾斜下流側に位置する貯留タンク１９２の底面には、貯留タンク１９２内の遊技球を外部に排出する排出口（図示略）が形成されている。
排出口は、後面部１６１ａの背面に位置しており、後面部１６１ａの背面に形成された流路形成凹部１８４には、この排出口に連通した導出流路を形成する導出流路形成部材１９５，１９６が取り付けられている。
導出流路は、排出口から排出された遊技球を裏機構枠１６０の右端部へ誘導するとともに、裏機構枠１６０の右端部においてさらに下方へ誘導するように形成されており、その下流側端部は、裏機構枠１６０の裏面に設けられた排出装置１９０に接続されている。また、貯留タンク１９２に隣設して、遊技機外部の装置（管理装置）と接続するための盤用外部出力端子が設けられている。
【００３７】
排出装置１９０は、裏機構枠本体１６１の裏面側から見た右端部における上下方向の略中央に形成された排出装置配設凹部１８５に取り付けられている。
また、排出装置１９０は、上部に導出流路に接続されて遊技球を受け入れる流入口を、下部に下部流路に接続されて遊技球を排出する排出口を備え、排出発射制御装置３４が遊技制御装置３０の制御の下で排出装置１９０を作動させることにより、所定数の遊技球を下部流路に排出するようになっている。
【００３８】
排出装置１９０の排出口に接続した下部流路は、裏機構枠１６０の裏面側から見て右端に沿って取り付けられた下部流路形成部材１９７によって形成され、排出装置１９０から排出された遊技球を下方に誘導するようになっている。
下部流路の下流側端部は、発射操作ユニット１５０の前面に形成された上皿１５３に連通され、排出装置１９０から排出された所定数の遊技球が上皿１５３排出されるようになっている。
なお、貯留タンク１９２の排出口から排出装置１９０に至る導出流路内には、常に遊技球が待機している状態となっており、排出装置１９０によって導出流路内の遊技球が排出されることに伴って貯留タンク１９２から流路に遊技球が流入するようになっている。
【００３９】
また、開口部１３１に嵌め込まれる遊技盤１は、図４及び図５に示すように、遊技盤本体１ｂと、遊技盤本体１ｂの裏面側に配される遊技盤裏面構成部材８０とを備える。
遊技盤本体１ｂは、透明な合成樹脂（例えば、ポリカーボネートやアクリル）からなり、前面には、遊技領域区画壁９で囲まれた第１遊技領域１ａを有し、この第１遊技領域１ａ内に発射装置から遊技球（打球；遊技媒体）を発射して遊技を行うようになっている。
【００４０】
遊技盤本体１ｂの前面側には、第１遊技領域１ａを区画する遊技領域区画壁９を備える遊技領域区画部材８，８，…が取り付けられている。
遊技領域区画部材８，８，…は、所定の厚みを有し、遊技盤本体１ｂの前面の四隅に配されて第１遊技領域１ａを区画するものであって、遊技盤１の中心側に配される側面が第１遊技領域１ａを区画する遊技領域区画壁９をなしている。また、遊技領域区画部材８，８，…は、不透明な材質からなり、第１遊技領域１ａ以外から遊技機１００の内部が見えないようになっている。
【００４１】
さらに、遊技領域区画部材８，８，…には、遊技盤１を前面枠本体１３０に形成された開口部に対して着脱可能とする係合凹部、固定凹部（ともに図示略）が形成されている。
即ち、前面側から見て左側の上下にある遊技領域区画部材８，８には、前面枠本体１３０に設けられた係合部材（図示略）が係合可能な係合凹部が形成され、一方、遊技盤１の前面側から見て右側の上下にある遊技領域区画部材８，８には、前面枠本体１３０に設けられた固定部が係合可能な固定凹部が形成されている。そして、前面枠本体１３０に形成された開口部に対して、前面側から係合凹部を係合部材に係合させ、この係合部分を軸として他端部を後方に回動させて開口部に収容し、固定凹部に固定部（図示略）を係合させることで遊技盤１が前面枠本体１３０に固定されるようになっている。
【００４２】
遊技盤裏面構成部材８０は、遊技盤本体１ｂの周囲に沿う矩形状をしており、不透明又は半透明とされた合成樹脂（例えば、ポリカーボネートやＡＢＳ）からなる。また、遊技盤裏面構成部材８０における遊技盤本体１ｂの裏面に沿って配されるベース盤８１の略中央部には、遊技盤本体１ｂに形成された第１遊技領域１ａの大部分と重なるように略矩形状の視認開口８７が形成されている。
【００４３】
また、ベース盤８１の裏面側には、視認開口８７の左右及び下側に沿って後方に突出する表示領域区画壁８２（図７参照）が形成されており、また上側には、演出部材を備え、遊技盤装飾装置（図示略）の一部をなす演出装置２５が配されており、これによって前後方向に沿った筒状の空間が形成されている。
この表示領域区画壁８２及び演出装置２５は、遊技盤１の後方に配される後述する表示ユニット１７０の画像表示面に近接するように配される（当接はしない）ようになっており、特図変動表示ゲームに対応した表示ゲームなどの表示領域を区画するものである。即ち、表示ユニット１７０の画像表示面のうち、視認開口８７の周縁に沿って形成された表示領域区画壁８２及び演出装置２５で囲まれた領域が遊技盤１の前面側から視認可能な表示領域（視認領域）となる。また、表示領域区画壁８２が遊技盤１と表示ユニット１７０との間の空間の側壁を構成する側部囲い壁をなす。これによって、第１遊技領域１ａの大部分に表示ユニット１７０の画像が表示されることとなる。また後述するように、この遊技盤本体１ｂの裏面側における表示領域区画壁８２及び演出装置２５で囲まれた領域の一部が、遊技球が流下可能な第２遊技領域２０とされている。
【００４４】
演出装置２５は、内部に演出部材と、この演出部材を駆動する駆動装置が設けられており、遊技の進行に合わせて演出部材を視認開口８７に現出させることで、遊技の演出を行うものである。
【００４５】
ベース盤８１の裏面には、左右の端部に隣接する位置に、後方へ突出する押圧部８３，８３，…が上下に形成されている。
押圧部８３，８３，…は、遊技盤１の裏面側に配される表示ユニット１７０の前面（表示ユニット１７０の外枠をなす表示ユニットケースの前面）に、その後端部が当接するようになっている。この表示ユニット１７０は、表示ユニット付勢手段（圧縮コイルばね等）によって前側に付勢されているので、押圧部８３，８３，…と表示ユニット１７０は密着した状態で保持されるようになっている。
【００４６】
また、押圧部８３，８３，…は、ベース盤８１に形成された基部８３ａと、基部８３ａの後端部にねじによって取り付けられた摩擦係数が低い材質（例えば、ポリアセタール、金属）からなる押圧部材８３ｂとを有している。さらに、ベース盤８１の裏面側から見て右側に位置する押圧部８３，８３の基部８３ａには、押圧部材８３ｂに加え、上下方向に沿った軸を中心に回動可能なローラ８３ｃが、外側に位置する角部に取り付け可能とされている。
【００４７】
遊技盤本体１ｂの前面側に形成された第１遊技領域１ａ内には、遊技盤１の装飾や遊技球を流下案内する遊技装置として、普図始動ゲート６、始動入賞口１０及び普通変動入賞装置３、特別変動入賞装置４が設けられている。さらに、遊技装置として、一般入賞口形成部材１４，１４に設けられた一般入賞口２，２、風車と呼ばれる打球方向変換部材１１，１１、多数の遊技釘（図示略）、流下方向規制装置７、入賞口などに入賞しなかった遊技球を回収するアウト口５、ランプ・ＬＥＤなどの遊技盤装飾装置（図示略）などが設けられている。さらに、遊技装置として、遊技盤本体１ｂの裏面側に設けられた第２遊技領域２０への導入口をなすワープ入口１２、第２遊技領域２０からの導出口１３が設けられている。
【００４８】
普図始動ゲート６は、遊技球が上下に通過可能なゲートであり、その内部には遊技球の通過を検出するゲートセンサ（図示略）が設けられている。そして、該ゲートセンサで遊技球が検出されることに基づき普図変動表示ゲームの始動条件が成立するようになっている。また、普図変動表示ゲームは、遊技盤１の前面側に設けられた図示しない普図変動表示器にて表示されるようになっている。
さらに、遊技盤１の前面側には、未処理となっている第１普図変動表示ゲームの回数をＬＥＤの点滅で表示する図示しない普図始動記憶表示器が設けられている。
【００４９】
始動入賞口１０及び普通変動入賞装置３は、第１遊技領域１ａの下部にあって、その内部には遊技球の流入を検出する始動口センサ（図示略）が設けられている。即ち、始動入賞口１０及び普通変動入賞装置３は、特図始動入賞口であって、始動口センサ（図示略）で遊技球が検出されることに基づき特図変動表示ゲームの始動条件が成立するようになっている。この特図変動表示ゲームは、遊技盤１の前面側に設けられた図示しない特図変動表示器にて表示されるようになっている。また、遊技盤１の前面側には、未処理となっている特図変動表示ゲームの回数をＬＥＤの点滅で表示する図示しない特図始動記憶表示器が設けられている。
【００５０】
普通変動入賞装置３は、左右一対の開閉部材３ａ，３ａを具備し、始動入賞口１０の下部に配設され、この開閉部材３ａ，３ａは、常時は遊技球が流入不能な閉じた状態（遊技者にとって不利な状態）を保持しているが、普図変動表示ゲームの結果が所定の停止表示態様（例えば、「７」）となった場合には、普図の当たりとなって、普通変動入賞装置３の開閉部材３ａ，３ａが所定時間（例えば、０．５秒間）逆「ハ」の字状に開いて普通変動入賞装置３に遊技球が流入し易い状態（遊技者にとって有利な状態）に変化するようになっている。これにより、特図変動表示ゲームの始動が容易となる。
【００５１】
また、特図変動表示ゲームは、第１遊技領域１ａ内に設けられた特図変動表示器で実行されるが、ここで実行される特図変動表示ゲームに対応する表示ゲームが表示ユニット１７０の画像表示面に表示されるようになっている。この特図変動表示ゲームに対応した表示ゲームの表示領域は、遊技盤裏面構成部材８０に形成された表示領域区画壁８２によって区画された領域であって、透明な材質からなる遊技盤本体１ｂを通して、その裏面側に配された表示ユニット１７０の画像表示面を視認可能な領域となっている。
なお、遊技機１００に特図変動表示器を備えずに、表示ユニット１７０のみで特図変動表示ゲームを実行するようにしても良い。そして、特図変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面における表示ゲームの表示態様も特別結果態様（例えば、「７，７，７」等のゾロ目数字の何れか）となる。
【００５２】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。
なお、開閉扉４ａは、大入賞口ソレノイド（図示略）により駆動される。また、大入賞口の内部（入賞領域）には、該大入賞口に入った遊技球を検出するための大入賞口用センサ（図示略）が配設されている。
【００５３】
一般入賞口形成部材１４，１４は、第１遊技領域１ａの下部に位置する遊技領域区画壁９に沿って配されており、前面側には一般入賞口２，２が形成されている。
一般入賞口２，２には、当該一般入賞口２，２に入った遊技球を検出するための一般入賞口センサ（図示略）が配設されている。
また、一般入賞口形成部材１４，１４は、遊技に関連した装飾が施されて不透明となっているとともにＬＥＤなどを備えており、遊技盤１の装飾を行う遊技盤装飾装置の一部をなしている。
【００５４】
そして、遊技を開始することにより第１遊技領域１ａ内に打ち込まれた遊技球が、一般入賞口２，２、特図始動入賞口（始動入賞口１０、普通変動入賞装置３）、大入賞口（特別変動入賞装置４）等の入賞口の何れかに入賞すると、それぞれの入賞口に対応した所定数の賞球としての遊技球が後述の排出発射制御装置３４の制御により排出装置１９０によって貯留皿に排出される（払い出される）ようになっている。
【００５５】
また、流下方向規制装置７は、第１遊技領域１ａとなる遊技盤本体１ｂの前面に突出するように取り付けられている。
流下方向規制装置７は、透光性を有する材質からなる部材で、鎧部７ａとその左端に接続した長案内部７ｂと、右端に接続された短案内部７ｃとから下向きに開口するように形成されている。また、流下方向規制装置７は、第１遊技領域１ａの中央部に配され、第１遊技領域１ａの中央部分を区画するようになっている。
これによって、第１遊技領域１ａに発射されて流下する遊技球が第１遊技領域１ａの左右に振り分けられ、第１遊技領域１ａの中央部分における画像表示面の視認性が保たれるようになっている。
【００５６】
鎧部７ａは、第１遊技領域１ａの中央部分に対して上側に配されて上方に突出するような円弧状をしており、その上面が中央から左右に下るような傾斜面とされている。このように上面が円弧状となっていることで、第１遊技領域１ａの上方に発射され、流下する遊技球を傾斜に沿って左右に振り分けることができるようになっている。
【００５７】
長短の案内部７ｂ，７ｃは、鎧部７ａの端部に連続して形成され、第１遊技領域１ａの中央部分に対して左右に配されて下方に向かって延在するようになっている。また、長短の案内部７ｂ，７ｃは、鎧部７ａで左右に振り分けられた遊技球が中央部分へ戻らないように下方へ案内するものである。
【００５８】
長案内部７ｂの下端部は、ワープ流路２４ａへの入口となるワープ入口１２が、流下方向規制装置７の左側（長案内部７ｂと、対向する遊技領域区画壁９との間）を流下する遊技球を受け入れ可能に形成されている。また、遊技盤本体１ｂにおけるワープ入口１２が配される部分には、前後に貫通したワープ孔が形成され、ワープ入口１２から流入した遊技球を、遊技盤本体１ｂの裏面側に形成された後述する第２遊技領域２０へ誘導可能とされている。
【００５９】
鎧部７ａの傾斜面の短案内部７ｃの近傍には、第１遊技領域１ａへ発射されワープ入口１２側と反対側（右側）を転動流下する遊技球、即ち、普図始動ゲート６やワープ入口１２への入賞の可能性が低く無駄となる可能性の高い無駄球を裏面遊技領域３００に流入させるための導入口３０１が開設されている。
【００６０】
遊技盤本体１ｂの裏面側における表示領域区画壁８２で囲まれた領域内には、遊技装置としてのステージ部材２１が配されている。
ステージ部材２１は、透光性を有する材質からなる板状の部材であって、より具体的には、左右両側が中央に向かって下る傾斜面となっているとともに、中央部が上向きに突出した略Ｗ字状に形成されている。また、ステージ部材２１は、左右の端部は表示領域区画壁８２の内周面と近接して配され、後端部は表示領域区画壁８２の後端部と等しい前後位置に配されている。
【００６１】
遊技盤本体１ｂの裏面におけるワープ入口１２と対応する位置には、遊技装置としての遊技球流路形成部材をなすワープ流路形成部材２４が配されている（図５参照）。
ワープ流路形成部材２４は、透光性を有する材質からなる部材で、ワープ入口１２に流入してワープ孔を通って遊技盤本体１ｂの裏面に至った遊技球を、ステージ２１ａ上に誘導するワープ流路２４ａを備える。
ワープ流路２４ａは、遊技球を一列で流下可能な筒状の流路であって、その入口となる上流側端部は遊技盤本体１ｂに形成されたワープ孔に接続しており、ここから遊技盤本体１ｂの裏面に沿って遊技盤本体１ｂの側端方向へ屈曲し、出口となる下流側端部はステージ２１ａの側端部の上方に近接した位置に配されるようになっている。これによって、第１遊技領域１ａに開口したワープ入口１２に流入した遊技球は、ワープ流路２４ａを通って第２遊技領域２０におけるステージ部材２１の上面に形成されたステージ２１ａに誘導されることとなる。
【００６２】
遊技盤本体１ｂの裏面における導入口３０１と対応する位置には、図５に示すように、裏面遊技領域３００に遊技球を流入する裏面遊技領域流路３０２が配されている。裏面遊技領域流路３０２は、透光性を有する材質からなり、裏面遊技領域３００に流下可能な筒状の部材である。
また、裏面遊技領域流路３０２の開口の下側には、内側に裏面遊技領域３００を構成する裏面遊技領域区画壁３０３が形成されている。裏面遊技領域区画壁３０３は、透光性を有する材質からなり、左右の各々の下向きに湾曲して延設されている。具体的には、図５における右側の裏面遊技領域区画壁３０３は、導出口１３の右側端部近傍まで延出され、左側の裏面遊技領域区画壁３０３は、表示領域区画壁８２に接触する位置まで延出されている。
なお、裏面遊技領域区画壁３０３の裏側には、表示ユニット１７０の画像表示面を保護する透光性の保護カバー３０４が配設されている（図６参照）。
【００６３】
裏面遊技領域３００には、図６に示すように、所定位置に所定数の風車３０５や遊技釘３０６（図８参照）が配設され、裏面遊技領域流路３０２を介して裏面遊技領域３００に流入された遊技球を転動流下させて、ステージ部材２１のステージ２１ａに誘導されることとなる。
【００６４】
ステージ２１ａには、上述したワープ流路２４ａを流下した遊技球が誘導されるようになっており、ステージ２１ａに誘導された遊技球は、略Ｗ字状の傾斜に沿って左右に転動するようになっている。
【００６５】
ステージ部材２１の中央部は、遊技盤本体１ｂに形成された導出口１３の後方に位置するように形成されており、ステージ２１ａは、導出口形成部材２３によって形成された導出口１３の底面に連続するようになっている。これによって、ステージ２１ａ上を転動する遊技球は前側へ誘導され、導出口１３から第１遊技領域１ａへ導出されることとなる。
【００６６】
また、ステージ２１ａの左右方向の中央であって、遊技球が転動する面の下側には、遊技球が流下可能な流路である球誘導路２２の後方部分が形成されている。
球誘導路２２は、前後方向に沿って延在するように形成された遊技球が一個流下可能な内径を有する筒状の流路で、前側に向かって下るように傾斜している。この球誘導路２２の下流側端部はステージ部材２１の前端部に開口しており、導出口形成部材２３に形成された球誘導路２２の前方部分に接続するようになっている。
【００６７】
この球誘導路２２には、ステージ２１ａから垂直に下方へ延在する流入流路２１ｃが接続されている。この流入流路２１ｃは、ステージの左右方向の中央に形成されており、流入口２１ｄとなる上流側端部がステージ２１ａ上に開口している。また、ステージ２１ａの上面であって流入流路２１ｃの流入口２１ｄの後側には、ステージ２１ａ上を転動する遊技球を流入口２１ｄに誘導するように、前後方向に沿って延在し、流入口２１ｄに向かって下る傾斜を有する溝部２１ｅが形成されている。この他にステージ２１ａの上面には、遊技球の転動態様に変化を与えるリブ２１ｆや突条２１ｇが形成されている。
【００６８】
第１遊技領域１ａにおける始動入賞口１０の上側には、第２遊技領域２０及び裏面遊技領域３００からの導出口１３が形成されている。
導出口１３は、遊技盤本体１ｂに形成された前後に貫通した導出孔に導出口形成部材２３を取り付けることで構成されている。導出口形成部材２３は、遊技盤本体１ｂと略同じ厚みを有し、導出孔に嵌め込まれる部分に導出口１３を形成する筒状の開口２３ａが形成されている。筒状の開口２３ａの内周面における下側の面（導出口１３の底面）は、後方に配されるステージ２１ａの形状に合わせた曲面とされているとともに前側に傾斜するようにされており、ステージ２１ａから前側に誘導された遊技球を第１遊技領域１ａに誘導可能とされている。また、筒状の開口２３ａの下側の面の下方には、ステージ２１ａの下方に前後方向に沿って延在するように形成された球誘導路２２の後方部分と連通する球誘導路２２の前方部分が形成され、これらによって、前後方向に延在する球誘導路２２が形成される。
導出口形成部材の前端部に位置する球誘導路２２の下流側端部は、始動入賞口１０の直上に位置するようになっており、ここを流下した遊技球は高い確率で始動入賞口１０に流入するようになっている。
【００６９】
遊技盤裏面構成部材８０の裏面側であって、視認開口８７の下側には、取付ベース８５が設けられている。
取付ベース８５には、始動入賞口１０、普通変動入賞装置３、特別変動入賞装置４、一般入賞口２，２などに入賞した遊技球を流下させる入賞球流路が設けられている。入賞球流路は、遊技機１００の外部（島設備の回収樋）に連通する図示しない流路に接続するようになっている。
また、取付ベース８５の裏面側から見て左側の端部は、上下方向に沿って延在する回動軸８６，８６が形成されており、第２演出制御装置３１が左右方向に扉状に回動可能に軸支されるようになっている。
【００７０】
第２演出制御装置３１は、遊技機固有のデータを記憶するデータ装置として、演出に関するデータを記憶したＲＯＭを備える演出データ基板と、遊技盤１に配設された電気的機器の駆動機能を有する演出駆動基板をなすドライバ基板（何れも図示略）とを有し、遊技制御装置３０の制御の下で演出の制御を行うものである。
また、第２演出制御装置３１の裏面の略中央部には、左右方向に沿って延在する回動軸を備える一対の支持部７１ｅ，７１ｅが形成され、遊技制御装置３０が上下方向に扉状に回動可能に軸支されるようになっている。
【００７１】
遊技制御装置３０は、第２演出制御装置３１の裏面側に配設されている。遊技制御装置３０は、ＣＰＵ、ＲＡＭ、ＲＯＭ（何れも図示略）等を有し、遊技の進行を統括的に制御するものである。
【００７２】
以上のように、本実施形態の遊技機１００によれば、遊技盤本体１ｂの前面側に、発射された遊技球が転動流下可能な第１遊技領域１ａが形成され、遊技盤本体１ｂの裏面側に、遊技球が転動流下可能な裏面遊技領域３００が形成されて、第１遊技領域１ａへ発射された無駄球を導入口３０１から裏面遊技領域３００に流入して、導出口１３から第１遊技領域１ａへ導出させることができるので、無駄となる可能性の高い右打ちされた無駄球を裏面遊技領域３００で転動させて再度遊技に供することができる。
従って、遊技者は、裏面遊技領域３００での遊技球の転動を十分に楽しむことができ、遊技の興趣を向上させることができる。
また、遊技盤本体１ｂの裏面側に裏面遊技領域３００を形成することにより、遊技機１００の裏面側の奥行き方向のスペースを有効活用することができる。
【００７３】
なお、本発明は、上記実施形態に限定されることなく、本発明の趣旨を逸脱しない範囲において、種々の改良並びに設計の変更を行っても良い。
以下に、裏面遊技領域の変形例について説明する。
【００７４】
＜変形例１＞
以下に、変形例１の遊技機について図７並びに図８を参照して説明する。
変形例１の遊技機は、図７及び図８（ａ）に示すように、前後方向に二重構造とされた裏面遊技領域４００を形成する裏面遊技領域形成部材４０１を備えている。
即ち、裏面遊技領域形成部材４０１は、透光性を有する材質からなり、外形が略直方体状に形成された外壁面部４０２と、外壁面部４０２の内側に配設されて、当該外壁面部４０２の内側の空間を前後方向に二分する分割部材４０３等を備えている。
なお、外壁面部４０２及び分割部材４０３は、例えば、所定の固着部材により遊技盤本体１ｂに固着されている。
【００７５】
分割部材４０３は、その上端部が導入口３０１と前後方向にほぼ重なる位置まで延在し、これにより、導入口３０１を介して流入される遊技球が二重構造の裏面遊技領域４００のうち、後側遊技領域４００ａよりも前側遊技領域４００ｂに流入し易くなっている。
また、分割部材４０３には、所定数の遊技釘３０６が所定位置に配設され、裏面遊技領域４００に流入された遊技球を転動流下させるようになっている。即ち、二重構造の裏面遊技領域４００のうち、前側遊技領域４００ｂの下端部には導出口１３が連通して設けられ、当該前側遊技領域４００ｂを転動流下した遊技球（図８中、遊技球２）は導出口１３を介してステージ２１ａに誘導される。一方、裏面遊技領域４００のうち、後側遊技領域４００ａの下端部には、球誘導路２２に連通される連通口（図示略）が形成され、当該遊技球が連通口を介して球誘導路２２に誘導され、球誘導路２２を流下した遊技球（図８中、遊技球１）は始動入賞口１０に入賞し易くなっている。
つまり、裏面遊技領域３００のうち、前側遊技領域（一方の遊技領域）４００ｂに比べて後側遊技領域（他方の遊技領域）４００ａから導出口１３を介して導出される遊技球の方が始動入賞口１０への入賞確率が高くされている。
【００７６】
従って、変形例１の遊技機によれば、裏面遊技領域４００を二重構造とすることにより、遊技機の裏面側の奥行き方向のスペースをさらに有効活用することができる。
さらに、二重構造の裏面遊技領域４００での遊技球の転動を楽しむという遊技機本来の興趣を向上させることができる。また、前側遊技領域４００ｂに比べて後側遊技領域４００ａから導出口１３を介して導出される遊技球の方が始動入賞口への入賞確率が高くされているので、無駄球を再度遊技に供するうえ、後側遊技領域４００ａへ導入されれば始動入賞口への入賞確率が高くなるので、さらに遊技の興趣を向上させることができる。
【００７７】
＜変形例２＞
変形例２の遊技機は、図９（ａ）に示すように、分割部材４０３の所定位置に板状の転動方向変換部材５０１が配設されている。
分割部材４０３の所定位置には、前側遊技領域４００ｂ及び後側遊技領域４００ａを連通させる開口部４０３ａが所定数形成されている。
【００７８】
転動方向変換部材５０１は、例えば板バネ等のように、それ自体に弾性を有するバネ材であり、開口部４０３ａの下端縁部に左右方向の回動軸を中心として回動自在に軸支されている。そして、転動方向変換部材５０１に前側遊技領域４００ｂを流下する流下勢の強い遊技球が衝突すると、転動方向変換部材５０１の付勢力に抗して当該転動方向変換部材５０１を下向きに回動させることで前側遊技領域４００ｂを流下していく一方で、流下勢が弱い遊技球の場合、転動方向変換部材５０１の上面を滑るようにして開口部４０３ａに流入し、後側遊技領域４００ａに流入していくような構成となってる。
【００７９】
従って、変形例２の遊技機によれば、二重構造の裏面遊技領域４００のうち、より不利な方の前側遊技領域４００ｂに一度導入されても、板状の転動方向変換部材５０１により有利な方の後側遊技領域４００ａに転動変化されることがあり、遊技者の興味をより長く惹き付けることができる。
【００８０】
＜変形例３＞
変形例３の遊技機は、図９（ｂ）に示すように、分割部材４０３の所定位置に転動方向変換部材としての風車５０２が配設されている。
風車５０２は、開口部４０３ａの所定位置に左右方向の回動軸を中心として回動自在に軸支されている。これにより、導入口３０１を介して前側遊技領域４００ｂに流入した遊技球であっても、転動変化して後側遊技領域４００ａに流入可能となるとともに、後側遊技領域４００ａに流入した遊技球であっても、転動変化して前側遊技領域４００ｂに流入可能となる。
【００８１】
従って、変形例３の遊技機によれば、変形例２の遊技機と同様に、二重構造の裏面遊技領域４００のうち、より不利な方の前側遊技領域４００ｂに一度導入されても、風車５０２（転動方向変換部材）により有利な方の後側遊技領域４００ａに転動変化されることがあり、遊技者の興味をより長く惹き付けることができる。
【００８２】
＜変形例４＞
変形例４の遊技機は、図９（ｃ）に示すように、分割部材４０３の所定位置に前側遊技領域４００ｂ及び後側遊技領域４００ａを連通させる開口部４０３ｂが所定数形成され、遊技盤本体１ｂの開口部４０３ｂに対向する位置に略「Ｌ」字型の可動部材５０３が配設されている。
【００８３】
可動部材５０３は、遊技盤本体１ｂの所定位置に左右方向の回動軸を中心として回動自在に軸支されている。また、可動部材５０３の二つの片のうち、より短い方の短片５０３ａの先端部が遊技盤本体１ｂの前面側に突出するように配設されている。即ち、可動部材５０３の短片（一片）５０３ａは遊技盤本体１ｂの前面側に臨むように配設されている。一方、可動部材５０３の二つの片のうち、より長い方の長片５０３ｂは、通常状態では、その自重により略真下を向くように配設され、先端部が遊技盤本体１ｂの裏面に当接した状態となっている。即ち、可動部材５０３の長片（一片）５０３ｂは、遊技盤本体１ｂの裏面側に臨むように配設されている。
このように、可動部材５０３は、第１遊技領域１ａと裏面遊技領域４００とに連通するように配設されている。
【００８４】
そして、遊技盤本体１ｂの前側の第１遊技領域１ａを流下する遊技球が短片５０３ａの先端部に接触すると、可動部材５０３がより長い方の長片５０３ｂを跳ね上げるように後向きに回動する。このとき、裏面遊技領域４００のうち、より不利な方の前側遊技領域４００ｂを流下する遊技球が長片５０３ｂに接触すると、開口部４０３ｂを介してより有利な方の後側遊技領域４００ａに転動される。
つまり、導入口３０１を介して前側遊技領域４００ｂに流入した遊技球であっても、可動部材５０３の裏面側に臨む長片５０３ｂの動作に従って転動変化することで後側遊技領域４００ａに誘導される。
【００８５】
従って、変形例４の遊技機によれば、可動部材５０３の前面側に臨む短片５０３ａに第１遊技領域１ａを流下する遊技球が接触すると、当該可動部材５０３の裏面側に臨む長片５０３ｂを跳ね上げるように可動して、裏面遊技領域４００のうちのより不利な方の前側遊技領域４００ｂを流下する遊技球をより有利な方の後側遊技領域４００ａに誘導することができる。
即ち、第１遊技領域１ａを流下する遊技球が、裏面遊技領域４００での遊技球の転動流下に影響を及ぼすため、第１遊技領域１ａ及び裏面遊技領域４００を流下する遊技球を関連させることができることとなって、さらに変化に富んだ遊技球の転動を楽しむことができる。
【００８６】
なお、本発明の遊技機１００は、上述の実施形態に示されるようなパチンコ遊技機１００に限られるものではなく、例えば、その他のパチンコ遊技機、アレンジボール遊技機、雀球遊技機などの遊技球を使用する全ての遊技機１００に適用可能である。
【００８７】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００８８】
【図１】本発明を適用した実施形態１の遊技機を示す正面図である。
【図２】図１の遊技機の背面側から見て示した斜視図である。
【図３】図１の遊技機のクリア部材保持枠及び遊技盤を取り外した状態の前面枠を前面側から見て示した斜視図である。
【図４】図１の遊技機の遊技盤を示す正面図である。
【図５】図４の遊技盤を背面側から見て示した斜視図である。
【図６】図５のVI−VI線における遊技盤の要部断面を示す図である。
【図７】変形例１の遊技機の遊技盤を背面側から見て示した斜視図である。
【図８】図７の遊技機に備わる裏面遊技領域を説明するための図である。
【図９】裏面遊技領域の変形例を説明するための図である。
【符号の説明】
【００８９】
１００    遊技機
１        遊技盤
１ａ      第１遊技領域
１２０    前面枠
１６０    裏機構枠
３００、４００  裏面遊技領域
３０１    導入口
１３      導出口
２２      球誘導路
１０      始動入賞口
５０１    転動方向変換部材
５０２    風車（転動方向変換部材）
５０３    可動部材
５０３ｂ  長片
５０３ａ  短片
【図１】
2008220398.tif 000003
【図２】
2008220398.tif 000004
【図３】
2008220398.tif 000005
【図４】
2008220398.tif 000006
【図５】
2008220398.tif 000007
【図６】
2008220398.tif 000008
【図７】
2008220398.tif 000009
【図８】
2008220398.tif 000010
【図９】
2008220398.tif 000011